【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
撮像装置であって、
顔画像に対応する人物の認証に用いられる顔認証データを管理する管理手段であって、前記顔認証データは、登録されている人物ごとに、顔画像の特徴量、第１の人物名、及び前記第１の人物名とは異なる第２の人物名を関連付けて管理する管理手段と、
前記顔認証データで管理される前記特徴量を用いて、撮影画像に含まれる顔画像に対応する人物を特定する顔認証手段と、
前記顔認証手段により特定された人物についての前記第２の人物名を、前記撮影画像に関連付けて記録媒体に記録する記録手段と、
前記記録媒体に記録されている画像を読み出して表示手段に表示する表示制御手段であって、読み出した前記画像に関連付けられている前記第２の人物名について前記顔認証データで関連付けて管理される前記第１の人物名を、前記画像と共に前記表示手段に表示する表示制御手段と、を有する
ことを特徴とする撮像装置。
【請求項２】
撮像装置であって、
顔画像に対応する人物の認証に用いられる顔認証データを管理する管理手段であって、前記顔認証データは、登録されている人物ごとに、顔画像の特徴量、第１の人物名、及び前記第１の人物名とは異なる第２の人物名を管理する管理手段と、
前記顔認証データで管理される前記特徴量を用いて、撮像手段により出力されたスルー画像に含まれる顔画像に対応する人物を特定する顔認証手段と、
前記顔認証手段により特定された人物についての前記第１の人物名を、前記スルー画像と共に表示手段に表示する表示制御手段と、
撮影指示がなされた場合に前記撮像手段により出力された撮像画像に、該撮像画像について前記顔認証手段により特定された人物についての前記第２の人物名を関連付けて記録媒体に記録する記録手段と、を有する
ことを特徴とする撮像装置。
【請求項３】
前記第１の人物名はニックネームであり、前記第２の人物名はフルネームであることを特徴とする請求項１または２に記載の撮像装置。
【請求項４】
前記第１の人物名及び前記第２の人物名は予め定められた最大データ長を有しており、前記第２の人物名の最大データ長は前記第１の人物名の最大データ長より長いことを特徴とする請求項１乃至３のいずれか１項に記載の撮像装置。
【請求項５】
前記第１の人物名の文字コードと、前記第２の人物名の文字コードとは異なることを特徴とする請求項１乃至４のいずれか１項に記載の撮像装置。
【請求項６】
前記第１の人物名は１バイト文字の文字コードで記録され、前記第２の人物名は２バイト文字の文字コードで記録されることを特徴とする請求項１乃至５のいずれか１項に記載の撮像装置。
【請求項７】
前記第２の人物名は、外部装置において入力及び表示が可能な文字コードで記録されることを特徴とする請求項１乃至６のいずれか１項に記載の撮像装置。
【請求項８】
撮像装置が有する、顔画像に対応する人物の認証に用いられる顔認証データであって、登録されている人物ごとに、顔画像の特徴量及び第１の人物名が関連付けられている顔認証データを管理する情報処理装置であって、
前記撮像装置から前記顔認証データを取得する取得手段と、
前記取得手段により取得された前記顔認証データに登録されている人物について、第１の人物名とは異なる第２の人物名を関連付ける入力手段と、
前記入力手段により前記第２の人物名が関連付けられた前記顔認証データを、前記撮像装置に送信する送信手段と、を有する
ことを特徴とする情報処理装置。
【請求項９】
撮像装置の制御方法であって、
顔画像に対応する人物の認証に用いられる顔認証データを管理する管理工程であって、前記顔認証データは、登録されている人物ごとに、顔画像の特徴量、第１の人物名、及び前記第１の人物名とは異なる第２の人物名を関連付けて管理する管理工程と、
前記顔認証データで管理される前記特徴量を用いて、撮影画像に含まれる顔画像に対応する人物を特定する顔認証工程と、
前記顔認証工程において特定された人物についての前記第２の人物名を、前記撮影画像に関連付けて記録媒体に記録する記録工程と、
前記記録媒体に記録されている画像を読み出して表示手段に表示する表示制御工程であって、読み出した前記画像に関連付けられている前記第２の人物名について前記顔認証データで関連付けて管理される前記第１の人物名を、前記画像と共に前記表示手段に表示する表示制御工程と、を有する
ことを特徴とする撮像装置の制御方法。
【請求項１０】
撮像装置の制御方法であって、
顔画像に対応する人物の認証に用いられる顔認証データを管理する管理工程であって、前記顔認証データは、登録されている人物ごとに、顔画像の特徴量、第１の人物名、及び前記第１の人物名とは異なる第２の人物名を管理する管理工程と、
前記顔認証データで管理される前記特徴量を用いて、撮像手段により出力されたスルー画像に含まれる顔画像に対応する人物を特定する顔認証工程と、
前記顔認証工程において特定された人物についての前記第１の人物名を、前記スルー画像と共に表示手段に表示する表示制御工程と、
撮影指示がなされた場合に前記撮像手段により出力された撮像画像に、該撮像画像について前記顔認証工程において特定された人物についての前記第２の人物名を関連付けて記録媒体に記録する記録工程と、を有する
ことを特徴とする撮像装置の制御方法。
【請求項１１】
撮像装置が有する、顔画像に対応する人物の認証に用いられる顔認証データであって、登録されている人物ごとに、顔画像の特徴量及び第１の人物名が関連付けられている顔認証データを管理する情報処理装置の制御方法であって、
前記撮像装置から前記顔認証データを取得する取得工程と、
前記取得工程において取得された前記顔認証データに登録されている人物について、第１の人物名とは異なる第２の人物名を関連付ける入力工程と、
前記入力工程において前記第２の人物名が関連付けられた前記顔認証データを、前記撮像装置に送信する送信工程と、を有する
ことを特徴とする情報処理装置の制御方法。
【請求項１２】
コンピュータを、請求項１乃至７のいずれか１項に記載の撮像装置の各手段として機能させるためのプログラム。
【請求項１３】
コンピュータを、請求項８に記載の情報処理装置の各手段として機能させるためのプログラム。
【手続補正２】
【補正対象書類名】明細書
【補正対象項目名】発明の名称
【補正方法】変更
【補正の内容】
【発明の名称】撮像装置、情報処理装置、制御方法、及びプログラム
【手続補正３】
【補正対象書類名】明細書
【補正対象項目名】０００１
【補正方法】変更
【補正の内容】
【０００１】
本発明は、撮像装置、情報処理装置、制御方法、及びプログラムに関し、特に画像に含まれる顔画像に対応する人物を特定する顔認証技術に関する。
【手続補正４】
【補正対象書類名】明細書
【補正対象項目名】０００９
【補正方法】変更
【補正の内容】
【０００９】
本発明は、上述の問題点に鑑みてなされたものであり、ユーザの視認性を確保した顔認証結果の表示、及び柔軟な人物名検索に対応する画像の記録の少なくともいずれかを解決する撮像装置、情報処理装置、制御方法、及びプログラムを提供することを目的とする。
【手続補正５】
【補正対象書類名】明細書
【補正対象項目名】００１０
【補正方法】変更
【補正の内容】
【００１０】
前述の目的を達成するために、本発明の１つの態様の撮像装置は、以下の構成を備える。
撮像装置であって、顔画像に対応する人物の認証に用いられる顔認証データを管理する管理手段であって、顔認証データは、登録されている人物ごとに、顔画像の特徴量、第１の人物名、及び第１の人物名とは異なる第２の人物名を関連付けて管理する管理手段と、顔認証データで管理される特徴量を用いて、撮影画像に含まれる顔画像に対応する人物を特定する顔認証手段と、顔認証手段により特定された人物についての第２の人物名を、撮影画像に関連付けて記録媒体に記録する記録手段と、記録媒体に記録されている画像を読み出して表示手段に表示する表示制御手段であって、読み出した画像に関連付けられている第２の人物名について顔認証データで関連付けて管理される第１の人物名を、画像と共に表示手段に表示する表示制御手段と、を有することを特徴とする。
【手続補正６】
【補正対象書類名】明細書
【補正対象項目名】００１１
【補正方法】変更
【補正の内容】
【００１１】
また前述の目的を達成するために、本発明の別の態様の撮像装置は、以下の構成を備える。
撮像装置であって、顔画像に対応する人物の認証に用いられる顔認証データを管理する管理手段であって、顔認証データは、登録されている人物ごとに、顔画像の特徴量、第１の人物名、及び第１の人物名とは異なる第２の人物名を管理する管理手段と、顔認証データで管理される特徴量を用いて、撮像手段により出力されたスルー画像に含まれる顔画像に対応する人物を特定する顔認証手段と、顔認証手段により特定された人物についての第１の人物名を、スルー画像と共に表示手段に表示する表示制御手段と、撮影指示がなされた場合に撮像手段により出力された撮像画像に、該撮像画像について顔認証手段により特定された人物についての第２の人物名を関連付けて記録媒体に記録する記録手段と、を有することを特徴とする。